(57)【特許請求の範囲】
【請求項１】
検索範囲を規定する目盛りが表されている座標軸，上記座標軸の両側に形成される検索範囲拡張領域ならびにユーザからの移動指示にしたがって上記目盛りに対応して上記座標軸上に位置決めされ，あるいは上記検索範囲拡張領域に位置決めされる上限マークおよび下限マークを表示画面上に表示するように表示装置を制御する第１の表示制御手段，
上記上限マークおよび上記下限マークが上記座標軸上に位置決めされたことに応じて上記上限マークと上記下限マークとの間の検索範囲によって定められる特性をもつデータを検索してデータベースから探し出し，探し出されたデータの数を表わす棒グラフを上記座標軸上に表示するように上記表示装置を制御する第２の表示制御手段，ならびに
上記上限マークが上記検索範囲拡張領域に位置決めされたことに応じて，上記下限マークが位置決めされている目盛りで決まる下限以上を検索範囲とし，その検索範囲によって定められる特性を持つデータを検索して上記データベースから探し出し，探し出されたデータの数を表わす棒グラフを，上記座標軸上または上記上限マークが位置決めされている上記検索範囲拡張領域上に表示し，かつ上記下限マークが上記検索範囲拡張領域に位置決めされたことに応じて，上記上限マークが位置決めされている目盛りで決まる上限以下を検索範囲とし，その検索範囲によって定められる特性を持つデータを検索して上記データベースから探し出し，探し出されたデータの数を表わす棒グラフを，上記座標軸上または上記下限マークが位置決めされている上記検索範囲拡張領域上に表示するように上記表示装置を制御する第３の表示制御手段，
を備えた検索用グラフィカル・ユーザ・インターフェイス装置。
【請求項２】
第１の表示制御手段が，検索範囲を規定する目盛りが表されている座標軸，上記座標軸の両側に形成される検索範囲拡張領域ならびにユーザからの移動指示にしたがって上記目盛りに対応して上記座標軸上に位置決めされ，あるいは上記検索範囲拡張領域に位置決めされる上限マークおよび下限マークを表示画面上に表示するように表示装置を制御し，
第２の表示制御手段が，上記上限マークおよび上記下限マークが上記座標軸上に位置決めされたことに応じて上記上限マークと上記下限マークとの間の検索範囲によって定められる特性をもつデータを検索してデータベースから探し出し，探し出されたデータの数を表わす棒グラフを上記座標軸上に表示するように上記表示装置を制御し，
第３の表示制御手段が，上記上限マークが上記検索範囲拡張領域に位置決めされたことに応じて，上記下限マークが位置決めされている目盛りで決まる下限以上を検索範囲とし，その検索範囲によって定められる特性を持つデータを検索して上記データベースから探し出し，探し出されたデータの数を表わす棒グラフを，上記座標軸上または上記上限マークが位置決めされている上記検索範囲拡張領域上に表示し，かつ上記下限マークが上記検索範囲拡張領域に位置決めされたことに応じて，上記上限マークが位置決めされている目盛りで決まる上限以下を検索範囲とし，その検索範囲によって定められる特性を持つデータを検索して上記データベースから探し出し，探し出されたデータの数を表わす棒グラフを，上記座標軸上または上記下限マークが位置決めされている上記検索範囲拡張領域上に表示するように上記表示装置を制御する第３の表示制御手段，
検索用グラフィカル・ユーザ・インターフェイス装置の制御方法。
【発明の詳細な説明】
【０００１】
【技術分野】
この発明は，検索用グラフィカル・ユーザ・インターフェイスに関する。
【０００２】
【発明の背景】
データベースに格納されているデータを抽出する場合には，データベースにキーワードが入力される。入力されたキーワードに合致するデータがデータベースから抽出される。データベース操作に慣れたユーザであれば，適切なキーワードを入力することができ，所望のデータを見つけることができる。しかしながら，データベース操作に不慣れなユーザでは適切なキーワードを入力することは比較的難しい。
【０００３】
【発明の開示】
このために，表示装置の表示画面上にバーなどを表示し，そのバーを利用して検索範囲を指定することが考えられる。検索範囲を指定すると，その指定された上限および下限の範囲内によって定められる特性をもつデータがデータベースから見つけられる。
【０００４】
しかしながら，検索範囲内の特性をもつデータしか探すことはできない。
【０００５】
この発明は，検索範囲を拡張することを目的とする。
【０００６】
この発明による検索用グラフィカル・ユーザ・インターフェイスは，検索範囲を規定する目盛りが表されている座標軸ならびにユーザからの移動指示にしたがって上記目盛りに対応して移動し，かつ検索範囲の上限を規定する上限マークおよび検索範囲の下限を規定する下限マークを表示画面上に表示するように第１の表示装置を制御する第１の表示制御手段，上記上限マークおよび上記下限マークにより規定される検索範囲によって定められる特性をもつデータを検索してデータベースから探し出す検索手段，上記検索手段により探し出されたデータの結果を表示画面上に表示するように第２の表示装置を制御する第２の表示制御手段，ならびに上記上限マークまたは上記下限マークがあらかじめ定められた範囲拡張検索指示位置に移動したことに応じて，上記検索範囲の上限または上記検索範囲の下限を越えて検索処理を行うように上記検索手段を制御する検索制御手段を備えていることを特徴とする。
【０００７】
この発明は，検索用グラフィカル・ユーザ・インターフェイスに適した方法を提供するようにしてもよい。すなわち，この方法は，検索範囲を規定する目盛りが表されている座標軸ならびにユーザからの移動指示にしたがって上記目盛りに対応して移動し，かつ検索範囲の上限を規定する上限マークおよび検索範囲の下限を規定する下限マークを表示画面上に表示し，上記上限マークおよび上記下限マークにより規定される検索範囲によって定められる特性をもつデータを検索してデータベースから探し出し，探し出されたデータの結果を表示画面上に表示するように第２の表示装置を制御し，上記上限マークまたは上記下限マークがあらかじめ定められた範囲拡張検索指示位置に移動したことに応じて，上記検索範囲の上限または上記検索範囲の下限を越えて検索処理を行うものである。
【０００８】
上記方法を実施するためのプログラムおよびそのようなプログラムを格納した記録媒体を提供するようにしてもよい。
【０００９】
上記第１の表示装置と上記第２の表示装置とは同じものであってもよい。
【００１０】
この発明によると，上記第１の表示装置の表示画面上には，上記座標軸ならびに上限マークおよび下限マークが表示される。上限マークおよび下限マークによって規定される検索範囲によって定められる特性をもつデータがデータベースから探し出される。探し出されたデータの結果が第２の表示装置の表示画面上に表示される。
【００１１】
上限マークまたは下限マークがあらかじめ定められた範囲拡張検索指示位置に移動させられると，上記検索範囲の上限または下限を越えて検索処理が行われる。
【００１２】
範囲拡張検索指示位置があらかじめ定められており，この範囲拡張検索指示位置に上限マークまたは下限マークが移動させられると，上記検索範囲の上限または下限を越えて（検索範囲が広がって）検索処理が行われる。検索範囲を規定する目盛りを越えた範囲（検索範囲の拡張）の検索を行うことができる。
【００１３】
上記第２の表示制御手段を，上記上限マークまたは上記下限マークが上記範囲拡張検索指示位置に移動したことに応じて得られる検索結果の表示の態様と上記範囲拡張検索指示位置に移動していないときに得られる検索結果の表示の態様とを変えるものとしてもよい。
【００１４】
上記第２の表示制御手段は，上記目盛りに対応して上記検索手段による検索結果を表示するようにすることが好ましい。
【００１５】
【実施例の説明】
図１は，この発明の実施例を示すもので，画像データベース装置の電気的構成を示すブロック図である。
【００１６】
画像データベース装置の全体の動作は，ＣＰＵ２によって統括される。
【００１７】
画像データベース装置には，多数の画像を表す画像データが格納されている画像データベース４が含まれている。この画像データベース４には，格納されている画像データに対応して画像データの特性を表すデータも格納されている。画像データの特性には，画像の撮影年月日，画像の平均明度，画像の平均彩度，画像の色の割合などがある。
【００１８】
入力装置３には，キーボード，マウスなどが含まれている。入力装置３から出力されるカーソルをドラッグする信号，マウスがクリックされたことを示す信号などがＣＰＵ２に入力する。
【００１９】
ＣＰＵ２には，表示装置６の表示画面上に表示される画像を表す画像データを一時的に記憶するＶＲＡＭ（video random access memory）１も接続されている。表示装置６における画像の表示等は，表示制御装置５によって制御される。
【００２０】
図２は，表示装置６の表示画面上に表示されるウインドウの一例である。
【００２１】
ウインドウ20には，そのほぼ中央部分に検索範囲設定画像10が表示されている。
【００２２】
検索範囲設定画像10は，画像データベース４の検索範囲（検索条件）を指示するものである。この実施例においては，検索範囲として撮影年月が用いられるものとする。横軸13があり，この横軸13に４月から10月の撮影月（目盛り）が表示されている。横軸13のほぼ中心には，マウスによって動かされるポインタ14を用いてドラッグすることにより上下左右に移動自在な操作子15が表示されている。また，横軸13上には，左カーソル（下限マーク）12Ａおよび右カーソル（上限マーク）12Ｂが操作子15と同じように左右に移動自在に表示されている。これらの左カーソル12Ａおよび右カーソル12Ｂに挟まれた範囲が主検索範囲である。この主検索範囲に該当する画像（図２の例であれば2001年６月から８月に撮影された画像）が画像データベース４内から検索により見つけられ，対応するサムネイル画像Ｉが次に述べる検索結果表示領域30に表示される。
【００２３】
検索により見つかった画像の駒数（探し出されたデータの結果）が撮影月に対応してグラフ表示されている。この実施例においては，詳しくは後述するようにカーソル12Ａおよび12Ｂにより規定される主検索範囲に該当する画像が検索により見つけられるほかに主検索範囲を超えて横軸13に表示されている撮影月の画像も検索により画像データベース４から見つけられる。図２に示す例でいえば横軸13には，2001年４月から10月が表示されているから，2001年４月から10月のうち2001年６月から８月を除く撮影月の画像が画像データベース４からさらに見つけ出される（副検索範囲）。主検索範囲に該当する画像の駒数は黒色のグラフ（図２においてはハッチングで示されている）17で表示され，副検索範囲（副検索）に該当する画像の駒数は白色のグラフ16で表示される。
【００２４】
横軸13の両側には検索範囲拡張領域（範囲拡張検索指示位置）11Ａおよび11Ｂが形成されている。左カーソル12Ａが横軸13の左側の検索範囲拡張領域11Ａに位置決めされると，右カーソル12Ｂにより規定される検索範囲の上限以下の撮影月の画像が検索により見つけられる。具体的には，図２に示す例でいえば，右カーソル12Ｂは，2001年８月と９月との間にあるので，2001年９月未満に撮影されたすべての画像が画像データ４から見つけられる。同様にして，右カーソル12Ｂが横軸13の左側の検索範囲拡張領域11Ｂに位置決めされると，左カーソル12Ａにより規定される検索範囲の下限以上の撮影月の画像が検索により見つけられる。具体的には，図２に示す例でいえば，左カーソル12Ａは，2001年５月と６月との間にあるので，2001年６月以降に撮影されたすべての画像が画像データベース４から見つけられる。
【００２５】
ウインドウ20には，その下部に検索の結果見つかった画像のサムネイル画像（サムネイル画像でなく画像そのものでもよい）Ｉを表示する検索結果表示領域30が含まれている。検索結果表示領域30には，横軸と縦軸とが含まれている。横軸は明度が規定され，縦軸は彩度が規定されているが，そのほかの画像特性を軸に利用してもよいのはいうまでもない。もっとも，横軸および縦軸を規定せずに，検索により見つかった画像を単に羅列して表示してもよいのはいうまでもない。
【００２６】
図３は，検索範囲設定画像10の一例であり，左カーソル12Ａが検索範囲拡張領域11Ａに位置決めされて検索が行われた場合を示している。
【００２７】
上述したように左カーソル12Ａが検索範囲拡張領域11Ａに位置決めされて検索指令が与えられると，右カーソル12Ｂによって規定される上限以下の撮影年月が主検索範囲とされる。主検索範囲内に撮影された画像が画像データベース４から見つけられる。検索（主検索）により見つけられた画像のうち，横軸13に表示されている撮影月に対応する画像の駒数は，上述したように黒色のグラフ17で表示される。また，検索により見つけられた画像のうち，横軸13に表示されていない撮影月の画像の駒数は，検索範囲拡張領域11Ａの上部に撮影年ごとにグラフ表示される。
【００２８】
検索範囲拡張領域11Ａの上部にはグラフ18と19とが表示されている。
【００２９】
一方のグラフ18は，横軸13に現れていない撮影月の画像の駒数を表している。グラフ18には，２つの領域18Ａと18Ｂとが含まれている。グラフ18に２つの領域18Ａと18Ｂとが含まれていることにより，2001年のうち2001年４月未満の月（2001年１月から３月）の間の２ヶ月は撮影画像があることがわかる。すなわち，2001年のうち2001年４月未満の月のうち１ヶ月は撮影画像が無い。また，領域18Ａと18Ｂとの大きさからどの程度の駒数の画像があるかも把握することができる。
【００３０】
他方のグラフ19は，2000年以前の一年に撮影された画像があることを示している。他方のグラフ19には５つの領域19Ａから19Ｅが含まれている。これらの領域19Ａから19Ｅのそれぞれの大きさは，撮影月の画像の駒数を表している。グラフ18および19を見ることより，横軸13に規定される撮影月以前に撮影された画像のおおよその駒数を把握することができる。
【００３１】
もっとも，あらかじめ撮影月ごとの色を決めておくようにしてもよい。グラフ18および19に含まれる各領域の色を対応する月の色とすることにより，どの月にどの位の撮影画像があるかどうかを確認することができる。
【００３２】
図４は，検索範囲設定画像10の一例であり，右カーソル12Aが検索範囲拡張領域11Ｂに位置決めされて検索が行われた場合を示している。
【００３３】
上述したように右カーソル12Ｂが検索範囲拡張領域11Ｂに位置決めされて検索指令が与えられると，左カーソル12Ａによって規定される下限以上の撮影年月が主検索範囲とされる。主検索範囲内に撮影された画像が画像データベース４から見つけられる。検索により見つけられた画像のうち，横軸13に表示されている撮影月に対応する画像の駒数は，上述したように黒色のグラフ17で表示される。また，検索により見つけられた画像のうち，横軸13に表示されていない撮影月の画像の駒数は，検索範囲拡張領域11Ｂの上部に撮影年ごとにグラフ表示される。
【００３４】
検索範囲拡張領域11Ｂの上部にはグラフ20と21とが表示されている。
【００３５】
一方のグラフ20は，横軸13に現れていない撮影月の画像の駒数を表している。グラフ20には，２つの領域20Ａと20Ｂとが含まれている。グラフ20に２つの領域20Ａと20Ｂとが含まれていることにより，2001年のうち2001年10月以降の月（2001年11月および12月）の間の２ヶ月は撮影画像があることがわかる。また，領域20Ａと20Ｂとの大きさからどの程度の駒数の画像があるかも把握することができる。
【００３６】
他方のグラフ21は，2002年以降の一年に撮影された画像があることを示している。他方のグラフ21にも２つの領域21Ａおよび21Ｂが含まれている。これらの領域21Ａおよび21Ｂのそれぞれの大きさは，撮影月の画像の駒数を表している。グラフ20および21を見ることより，横軸13に規定される撮影月以後に撮影された画像のおおよその駒数を把握することができる。
【００３７】
この場合も，あらかじめ撮影月ごとの色を決めておくようにしてもよい。グラフ20および21に含まれる各領域の色を対応する月の色とすることにより，どの月にどの位の撮影画像があるかどうかを確認することができる。
【００３８】
図５は，画像データベース装置の処理手順を示すフローチャートである。
【００３９】
表示装置６の表示画面上には，図２に示すウインドウ20が表示されているものとする。
【００４０】
画像データベース装置のユーザによって操作子15がドラッグされない状態において（ステップ41でＮＯ），左カーソル12Ａまたは右カーソル12Ｂがドラッグされたかどうかが確認される（ステップ46）。左または右カーソル12Ａまたは12Ｂがドラッグされると（ステップ46でＹＥＳ），ドラッグ後の位置が読みとられる（ステップ47）。
【００４１】
左カーソル12Ａが検索範囲拡張領域11Ａにあるか，右カーソル12Ｂが検索範囲拡張領域11Ｂにあるかどうかが確認される（ステップ48でＹＥＳ）。
【００４２】
図２に示すように，左カーソル12Ａが検索範囲拡張領域11Ａにある場合には，右カーソル12Ｂにより規定される上限の主検索範囲以下の検索および右カーソル12Ｂにより規定される上限以上であって横軸13に表示されている撮影月の副検索範囲に該当する画像の検索が実行される。また，図３に示すように，右カーソル12Ｂが検索範囲拡張領域11Ｂにある場合には，左カーソル12Ａにより規定される下限の主検索範囲以上の検索および左カーソル12Ａにより規定される下限未満であって横軸13に表示されている撮影月の副検索範囲に該当する画像の検索が実行される。検索により見つけられた画像に対応するサムネイル画像（主検索範囲に該当するサムネイル画像）が，検索結果表示領域30に表示される（ステップ49）。
【００４３】
横軸13に付されている撮影月に対応する画像の駒数は撮影月に対応して横軸13の上部に表示される。また，検索範囲拡張領域11Ａまたは11Ｂの上部には上述したように横軸13に付されていない撮影月に撮影された画像の駒数がグラフ表示されることとなる。
【００４４】
左カーソル12Ａおよび右カーソル12Ｂのいずれも検索範囲拡張領域11Ａまたは11Ｂに位置決めされていない場合には（ステップ48でＮＯ），上述したように左カーソル12Ａおよび右カーソル12Ｂで定められる主検索範囲および座標軸13に表示されている撮影月によって定められる副検索範囲にもとづいて検索処理が実行される（ステップ45）。
【００４５】
画像データベース装置のユーザによって操作子15がドラッグされると（ステップ41でＹＥＳ），入力装置３から検索指令が与えられることに応答して，横軸13の中心を原点としたドラッグ後の操作子15の座標位置が読み取られる（ステップ42）。
【００４６】
座標位置が読み取られると，読み取られたＸ座標値（中心からの距離）にもとづいて横軸13の目盛りの値が変更される（ステップ43）。Ｘ座標値が正であれば値は大きくされ，Ｘ座標値が負であれば値は小さくされる。また，Ｘ座標値が大きければ変更量は大きくなり，Ｘ座標値が小さければ変更量は小さい。
【００４７】
つづいて，読み取られたＹ座標値（中心からの距離）にもとづいて目盛りの尺度が変更される（ステップ44）。この場合もＹ座標値が正であれば，尺度は大きくされ，Ｙ座標値が負であれば，尺度は小さくされる。また，Ｙ座標値が大きければ変更量は大きくなり，Ｙ座標値が小さければ変更量は小さい。
【００４８】
設定されている主検索範囲および副検索範囲で検索が実行され，主検索範囲に該当する画像に対応するサムネイル画像Ｉが検索結果表示領域30に表示される（ステップ45）。たとえば，操作子15が上方向にドラッグされると，新たな検索により表示装置６の表示画面上には目盛りの尺度が大きくされたウインドウ20が表示されることとなる。
【００４９】
上述の実施例においては，操作子13をマウスを用いてドラッグしているが，この実施例による画像データベース装置をＰＤＡ（personal digital assistants ）のようなものに利用する場合にはペン・ディバイスを利用してドラッグすることとなろう。
【００５０】
また，検索結果表示領域30には，検索により得られた画像のうち代表的な画像のサムネイル画像を表示しておき，これらの代表的なサムネイル画像のうちオペレータによって画像が指定されることにより，その指定された画像に類似した画像に対応するサムネイル画像を表示領域30に表示するようにしてもよい。
【００５１】
また，上述した動作をコンピュータ装置に行わせるためのプログラムを作成するようにしてもよい。その場合，プログラムは，ＣＤ−ＲＯＭ（コンパクト・ディスク−リード・オンリ・メモリ）のような記録媒体に格納するようにしてもよい。プログラムを記録媒体に格納する場合には，画像データベース装置には，記録媒体に格納されているプログラムを読み取る読み取り装置が設けられることとなる。
【００５２】
さらに，上述した実施例においては画像を検索する画像データベースについ説明したが，画像を検索するのみならずそのほかの情報を検索するものについても利用できるのはいうまでもない。また，座標軸に表示される特性は撮影年月に限らず，画像についての他の情報，明度，彩度などであってもよい。
【００５３】
図６および図７は，変形例を示すもので，検索範囲設定画像の一例である。図６は図３に示す検索範囲設定画像に対応するものであり，図７は図４に示す検索範囲設定画像に対応するものである。これらの図において，図３または図４に示すものと同一物には同一符号を付して説明を省略する。
【００５４】
図６に示す検索範囲設定画像10Ａにおいては，左カーソル12Ａが検索範囲拡張領域11Ａ内に位置決めされている。右カーソル12Ｂにより規定される上限以下の撮影年月に撮影された画像が見つけられ，その駒数が撮影年月に対応して表示される。
【００５５】
図３に示すように検索範囲拡張領域11Ａの上部に表示されるグラフ18および19は撮影年が同じであれば異なる撮影月に撮影された画像の駒数を表すものであっても１つのグラフ18または19として表示している。これに対して，図６に示す検索範囲設定画像10Ａでは，検索範囲拡張領域11Ａの上部には複数のグラフの組から構成されるグラフ群23および24が表示されている。これらのグラフ群23および24のそれぞれが撮影年に対応している。グラフ群23と24との間は間隔があけられている。これにより，撮影年が異なることがわかる。グラフ群23には，撮影月に対応したグラフ23Ａから23Ｂが含まれており，グラフ群24にはグラフ24Ａから24Ｅが含まれている。
【００５６】
一方のグラフ群23は，横軸13に表示されている撮影月の年と同じ撮影年（2001年）である。横軸13に表示されている撮影年と同じ年であり，かつ横軸13に表示されている撮影月よりも以前に２ヶ月間に撮影された画像があることを示している。同様にして他方のグラフ群24は，横軸13に表示されている撮影年よりも以前の年に撮影された画像の駒数を示している。グラフ群24を構成するグラフ24Ａから24Ｅを見ることにより，2001年よりも以前のある年に５ヶ月間に撮影された画像があることがわかる。
【００５７】
グラフ群23および24に含まれるグラフの幅は，撮影月が付されている横軸13の上部に表示されるグラフ16および17の幅よりも狭くなっている。このために，検索範囲設定画像10Ａの全体の大きさが大きくなってしまうことを未然に防止できる。撮影月ごとにグラフが分かれているので，どの撮影月にどの位の画像があるかが一見してわかるようになる。この場合も，撮影月に対応して色をあらかじめ決めておき，対応する色のグラフを表示するようにしてもよい。撮影月ごとの画像の駒数を比較的正確に把握することができる。
【００５８】
図７を参照して，検索範囲設定画像10Ａにおいては，右カーソル12Ｂが検索範囲拡張領域11Ｂ内に位置決めされている。左カーソル12Ａにより規定される下限以上の撮影年月に撮影された画像が見つけられ，その駒数が撮影年月に対応して表示される。
【００５９】
検索範囲拡張領域11Ｂの上部には複数のグラフの組から構成されるグラフ群25および26が表示されている。これらのグラフ群25および26のそれぞれが撮影年に対応している。グラフ群25と26との間は間隔があけられている。これにより，撮影年が異なることがわかる。グラフ群25には，撮影月に対応したグラフ25Ａから25Ｂが含まれており，グラフ群26にはグラフ26Ａから26Ｅが含まれている。
【００６０】
図７に示す場合も，図６に示したのと同様に，横軸13に表示されている撮影年月の画像のほかに撮影された画像がどのくらいあるかを把握することができることは容易に理解されよう。
【図面の簡単な説明】
【図１】図１は，画像データベース装置の電気的構成を示すブロック図である。
【図２】表示画面の表示される画像の一例である。
【図３】検索範囲設定画像の一例である。
【図４】検索範囲設定画像の一例である。
【図５】画像データベース装置の処理手順を示すフローチャートである。
【図６】検索範囲設定画像の一例である。
【図７】検索範囲設定画像の一例である。
【符号の説明】
２  ＣＰＵ
３  入力装置
４  画像データベース
５  表示制御装置
６  表示装置
10，10Ａ  検索範囲設定画像
11Ａ，11Ｂ  検索範囲拡張領域
12Ａ  左カーソル
12Ｂ  右カーソル
13  横軸
16，17，18Ａ，18Ｂ，19Ａ〜19Ｅ，20Ａ，20Ｂ，21Ａ，21Ｂ，23Ａ，23Ｂ，24Ａ〜24Ｅ，25Ａ，25Ｂ，26Ａ〜26Ｅ  グラフ
18，19，20，21，23，24，25，26  グラフ群
【図１】
0004129143.tif 000002
【図２】
0004129143.tif 000003
【図３】
0004129143.tif 000004
【図４】
0004129143.tif 000005
【図５】
0004129143.tif 000006
【図６】
0004129143.tif 000007
【図７】
0004129143.tif 000008